(57)【要約】【課題】多様な後処理機能の使用可／使用不可の組み合わせが容易に認知されるようにする。【解決手段】本発明の一態様は、画像形成装置に接続された複数の後処理装置の識別情報と後処理機能を取得し、該識別情報を元に複数の後処理装置の接続順序を検出する。次に、複数の後処理装置の接続順序を元に、複数の後処理装置において後処理機能の使用可の組み合わせと後処理機能の使用不可の組み合わせとを判断する。そして、判断の結果に基づき、複数の後処理装置の接続順序に応じて、後処理機能の使用可の組み合わせと後処理機能の使用不可の組み合わせとを報知する。【選択図】図６
2017071169.tif 000002
【特許請求の範囲】
【請求項１】
用紙に画像を形成する画像形成装置と、該画像形成装置に直列に接続された複数の後処理装置とから構成され、
前記画像形成装置は、
前記複数の後処理装置の識別情報と後処理機能を取得し、該識別情報を元に前記複数の後処理装置の接続順序を検出する接続順序検出部と、
前記複数の後処理装置の接続順序を元に、前記複数の後処理装置において使用できる後処理機能の組み合わせと使用できない後処理機能の組み合わせとを判断する機能判断部と、
前記機能判断部の判断結果に基づき、前記複数の後処理装置の接続順序に応じて、前記使用できる後処理機能の組み合わせと前記使用できない後処理機能の組み合わせとを報知する報知部と、を備える
画像形成システム。
【請求項２】
前記機能判断部は、前記後処理装置に故障が発生した場合に、前記複数の後処理装置において前記使用できる後処理機能の組み合わせと前記使用できない後処理機能の組み合わせとを判断し、
前記報知部は、前記後処理装置の故障により使用できない後処理機能が反映された、前記使用できる後処理機能の組み合わせと前記使用できない後処理機能の組み合わせとを報知する
請求項１に記載の画像形成システム。
【請求項３】
前記機能判断部は、前記後処理装置に故障が発生した場合に、故障した後処理機能を含む後処理機能の組み合わせを代替可能な前記複数の後処理装置の接続順序を判断し、
前記報知部は、前記故障した後処理機能を含む後処理機能の組み合わせを代替可能な前記複数の後処理装置の接続順序を報知する
請求項１又は２に記載の画像形成システム。
【請求項４】
前記機能判断部は、前記代替可能な前記複数の後処理装置の接続順序を元に、当該複数の後処理装置において使用できる後処理機能の組み合わせと使用できない後処理機能の組み合わせとを判断し、
前記報知部は、前記代替可能な前記複数の後処理装置の接続順序に応じて、前記使用できる後処理機能の組み合わせと前記使用できない後処理機能の組み合わせとを報知する
請求項３に記載の画像形成システム。
【請求項５】
表示部、を更に備え、
前記報知部は、前記複数の後処理装置において前記使用できる後処理機能の組み合わせと前記使用できない後処理機能の組み合わせとを前記表示部に表示する
請求項１乃至４のいずれかに記載の画像形成システム。
【請求項６】
外部装置と通信可能な外部通信部、を更に備え、
前記報知部は、前記外部通信部を通じて、前記複数の後処理装置において前記使用できる後処理機能の組み合わせと前記使用できない後処理機能の組み合わせとを前記外部装置に報知する
請求項１乃至４のいずれかに記載の画像形成システム。
【請求項７】
用紙に画像を形成する画像形成装置と、該画像形成装置に直列に接続された複数の後処理装置とから構成された画像形成システムにおける制御方法であって、
前記複数の後処理装置の識別情報と後処理機能を取得し、該識別情報を元に前記複数の後処理装置の接続順序を検出する処理と、
前記複数の後処理装置の接続順序を元に、前記複数の後処理装置において使用できる後処理機能の組み合わせと使用できない後処理機能の組み合わせとを判断する処理と、
前記判断の結果に基づき、前記複数の後処理装置の接続順序に応じて、前記使用できる後処理機能の組み合わせと前記使用できない後処理機能の組み合わせとを報知する処理と、を備える
制御方法。
【発明の詳細な説明】
【技術分野】
【０００１】
本発明は、画像形成装置に複数の後処理装置が接続された画像形成システム及びその制御方法に関する。
【背景技術】
【０００２】
従来、画像形成装置と機能の異なる複数の後処理装置を接続させ、多機能な後処理を可能にする画像形成システムがある。例えば、後処理装置として平綴じ装置、中綴じ装置、折り装置、パンチ装置、製本装置、大容量スタッカ等がある。このような画像形成システムでは、後処理機能が多様化し、使用可能な後処理機能の組み合わせも複雑化する。
【０００３】
このような複数の後処理装置を備える画像形成システムとして、特許文献１には、画像形成装置が、複数のシート処理装置からネットワークを介して識別情報を取得し、取得した識別情報に対応するシート処理装置の並び順を設定させ、取得した識別情報と並び順の設定情報とを組み合わせてシステム構成情報を生成し、当該システム構成情報と、画像形成システムとして動作可能な装置の並び順と識別情報とを組み合わせたシステム構成可能情報テーブルとを照合し、設定されたシステム構成情報が適正であるか否かを自動的に判断する、ことが記載されている。
【０００４】
特許文献２には、同一の後処理、又は代替の後処理を実行可能な複数の後処理装置を含む画像形成システムにおいて、一の後処理装置に異常が検知された場合は、他の後処理装置を用いて一の後処理装置と同一の後処理、又は代替の後処理を継続することが記載されている。
【先行技術文献】
【特許文献】
【０００５】
【特許文献１】特開２００７−０７６００６号公報
【特許文献２】特開２００５−２０６２６４号公報
【発明の概要】
【発明が解決しようとする課題】
【０００６】
しかしながら、特許文献１に記載の技術は、ユーザが設定した後処理装置の接続順序が適正であるかを自動的に判断することができるが、多様な後処理機能の組み合わせの可否が考慮されていない。
【０００７】
また、特許文献２に記載の技術は、複数の後処理装置の中に、故障した後処理装置の後処理機能と同一の後処理機能又は代替の後処理機能を有する他の後処理装置がある場合には、故障した後処理機能を他の後処理装置の後処理機能で代替することができる。しかしながら、特許文献２に記載の技術は、特許文献１と同様に、多様な後処理機能の組み合わせの可否が考慮されていない。
【０００８】
本発明は、上記の状況を考慮してなされたものであり、複数の後処理機能について使用可／使用不可の組み合わせが容易に認知されるようにすることを目的とする。
【課題を解決するための手段】
【０００９】
本発明の一側面の画像形成システムは、用紙に画像を形成する画像形成装置と、該画像形成装置に直列に接続された複数の後処理装置とから構成される。
画像形成装置は、複数の後処理装置の識別情報と後処理機能を取得し、該識別情報を元に複数の後処理装置の接続順序を検出する接続順序検出部と、複数の後処理装置の接続順序を元に、複数の後処理装置において使用できる後処理機能の組み合わせと使用できない後処理機能の組み合わせとを判断する機能判断部と、該機能判断部の判断結果に基づき、複数の後処理装置の接続順序に応じて、使用できる後処理機能の組み合わせと使用できない後処理機能の組み合わせとを報知する報知部と、を備える。
【００１０】
本発明の一側面の制御方法は、用紙に画像を形成する画像形成装置と、該画像形成装置に直列に接続された複数の後処理装置とから構成された画像形成システムにおける制御方法である。
この制御方法は、複数の後処理装置の識別情報と後処理機能を取得し、該識別情報を元に複数の後処理装置の接続順序を検出する処理と、複数の後処理装置の接続順序を元に、複数の後処理装置において使用できる後処理機能の組み合わせと使用できない後処理機能の組み合わせとを判断する処理と、判断の結果に基づき、複数の後処理装置の接続順序に応じて、使用できる後処理機能の組み合わせと使用できない後処理機能の組み合わせとを報知する処理と、を備える。
【発明の効果】
【００１１】
本発明の少なくとも一つの実施形態によれば、後処理機能の使用可の組み合わせと後処理機能の使用不可の組み合わせが報知される。そのため、ユーザに、複数の後処理機能について使用可／使用不可の組み合わせを容易に認知させることができる。
上記した以外の課題、構成及び効果は、以下の実施形態の説明により明らかにされる。
【図面の簡単な説明】
【００１２】
【図１】本発明の一実施形態に係る画像形成システムの全体構成例を示す説明図である。
【図２】本発明の一実施形態に係る画像形成システムの制御系の一例を示すブロック図である。
【図３】本発明の一実施形態に係る画像形成装置が備える画像形成装置制御部の機能ブロック図である。
【図４】本発明の一実施形態に係る操作パネルのレイアウト例を示す図である。
【図５】本発明の一実施形態に係る画像形成装置の表示操作部の基本画面例を示す図である。
【図６】本発明の一実施形態に係る後処理機能リストの画面例を示す図である。
【図７】本発明の一実施形態に係る故障時の後処理機能リストの画面例を示す図である。
【図８】本発明の一実施形態に係る故障機能を代替する後処理機能リストの画面例を示す図である。
【図９】本発明の一実施形態に係る後処理機能の使用可／使用不可組み合わせの報知処理を示すフローチャートである。
【図１０】本発明の一実施形態に係る後処理機能の代替表示処理を示すフローチャートである。
【発明を実施するための形態】
【００１３】
以下、本発明を実施するための形態の例について、添付図面を参照しながら説明する。なお、各図において実質的に同一の機能又は構成を有する構成要素については、同一の符号を付して重複する説明を省略する。
【００１４】
＜１．一実施形態＞
［画像形成システムの全体構成］
まず、本発明の一実施形態に係る画像形成システムの全体構成について説明する。
図１は、本発明の一実施形態に係る画像形成システムの全体構成例を示す。
【００１５】
図１に示す画像形成システム１は、画像形成装置１０と複数の後処理装置を備える。画像形成装置１０の用紙搬送方向の下流側には、後処理装置として、画像形成装置１０から近い順にインサート装置４０、パンチ装置５０、折り装置６０、中綴じ装置７０、及び平綴じ装置８０が直列に接続されている。インサート装置４０、パンチ装置５０、折り装置６０、中綴じ装置７０、及び平綴じ装置８０を総称して、後処理装置２と呼ぶ。
【００１６】
画像形成装置１０は、操作パネル２０、原稿読取ユニット３０、及び３つの給紙トレイ１４を備える。ユーザは原稿読取ユニット３０に原稿をセットし、操作パネル２０から所望の画像形成モードを指定してプリント開始を指示する。画像形成装置１０は、プリント開始の指示を受け付けると、原稿読取ユニット３０で原稿を読み取って画像データを生成する。画像データの生成と並行して、画像形成装置１０は、指定された用紙を給紙トレイ１４から用紙搬送部１２０に給紙し、画像形成ユニット１１で画像データに基づくトナー像を形成する。そして、画像形成装置１０は、定着ユニット１２でトナー像を用紙に定着した後、その用紙をインサート装置４０へ搬送する。
【００１７】
インサート装置４０は、画像形成装置１０から搬送される所望の用紙間にインサート用紙を挿入するための装置であり、（１）ストレート排紙機能、（２）インサート機能を有している。ストレート排紙機能は、用紙搬送部４３０を通じて、前段装置（図１では画像形成装置１０）から後段装置（図１ではパンチ装置５０）へストレートに用紙を搬送する。インサート機能は、第１〜第３インサート用紙搬送部４４０，４５０，４６０を通じて、インサートトレイ４２，４４，４６に予めセットされた仕切り用紙等を所定ページ（用紙間）に挿入して、用紙搬送部４３０を通じて後段装置へ搬送する。第１〜第３インサート搬送部４４０，４５０，４６０の用紙を挿入する機能は、「インサート機能」と呼ばれる。
【００１８】
パンチ装置５０は、（１）ストレート排紙機能、（２）２点や３点等の孔を開けるパンチ機能を有している。ストレート排紙機能は、第１用紙搬送部５３０を通じて、前段装置（図１ではインサート装置４０）から後段装置（図１では折り装置６０）へストレートに用紙を搬送する。パンチ機能は、前段装置から用紙を受けて、パンチユニット５５でパンチ処理を実施した後、第２用紙搬送部５４０を通じて、後段装置へ用紙を搬送する。
【００１９】
折り装置６０は、（１）ストレート排紙機能、（２）サブトレイ排紙機能、（３）インサート機能、（４）中折りやＺ折り等の折り機能を有している。ストレート排紙機能は、第１用紙搬送部６３０を通じて、前段装置（図１ではパンチ装置５０）から後段装置（図１では中綴じ装置７０）へストレートに用紙を搬送する。サブトレイ排紙機能は、前段装置から用紙を受けて、第２用紙搬送部６４０を通じて、折り装置サブトレイ６１へ用紙を排紙する。インサート機能は、インサート搬送部６６０を通じて、折りインサートトレイ６２に予めセットされた仕切り用紙等を所定ページ（用紙間）に挿入して後段装置へ搬送する。折り機能は、前段装置又は折りインサートトレイ６２から用紙を受けて、折りユニット６５で折り処理を実施した後、第３用紙搬送部６５０を通じて、後段装置へ用紙を搬送する。
【００２０】
中綴じ装置７０は、（１）ストレート排紙機能、（２）サブトレイ排紙機能、（３）中綴じ機能有している。ストレート排紙機能は、第１用紙搬送部７３０を通じて、前段装置（図１では折り装置６０）から後段装置（図１では平綴じ装置８０）へストレートに用紙を搬送する。サブトレイ排紙機能は、前段装置から用紙を受けて、第２用紙搬送部７４０を通じて、中綴じ装置サブトレイ７１へ用紙を排紙する。中綴じ機能は、前段装置から用紙を受けて、中綴じユニット７５で中綴じ処理を実施した後、第３用紙搬送部７５０を通じて、中綴じ冊子トレイ７２へ用紙を排紙する。
【００２１】
平綴じ装置８０は、（１）ストレート排紙機能、（２）サブトレイ排紙機能、（３）Ｕ字状の針金を用いて書類を綴じるステープル機能を有している。ストレート排紙機能は、第１用紙搬送部８３０を通じて、前段装置（図１では中綴じ装置７０）から用紙を受けて、平綴じ排紙トレイ８２へ用紙を排紙する。サブトレイ排紙機能は、前段装置から用紙を受けて、第２用紙搬送部８４０を通じて、平綴じ装置サブトレイ８１へ用紙を排紙する。ステープル機能は、前段装置から用紙を受けて、平綴じユニット８５で指定されたステープル処理を実施した後、第３用紙搬送部８５０を通じて、平綴じ排紙トレイ８２へ用紙を搬送する。
【００２２】
［画像形成システムの制御系］
次に、画像形成システム１の制御部１００について説明する。
図２は、画像形成システム１の制御系の一例を示す。
【００２３】
画像形成装置１０は、操作パネル２０、原稿読取ユニット３０、画像形成ユニット１１、定着ユニット１２、画像形成装置制御部１００、通信部１１０、用紙搬送部１２０、外部通信部１３０、及びメモリ１４０を有する。
【００２４】
画像形成装置制御部１００は、画像形成装置１０内の各部を制御するとともに、後処理装置２に動作を指示する。通信部１１０は、インサート装置４０とデータの送信及び受信を行う。用紙搬送部１２０は、給紙トレイ１４から用紙を取り出して給紙する給紙ローラ（図示略）や、後段装置（インサート装置４０）へ用紙を搬送する搬送ローラ（図示略）を備えた機構である。外部通信部１３０は、画像形成システム１の外部装置（管理装置サーバ、モバイル端末等）とデータの送信及び受信を行う。
【００２５】
メモリ１４０には、操作パネル２０を介して指示された画像形成モードと原稿読取ユニット３０で読み取った原稿画像とが関連付けて記憶される。また、メモリ１４０には、後処理装置のノードＩＤ（識別情報）と当該後処理装置の後処理機能とが関連づけて記憶されている。さらに、予めメモリ１４０には、一の後処理装置と他の後処理装置の接続関係ごとに、後処理機能の組み合わせ（以下「後処理組み合わせ機能」と称する）の使用可及び使用不可を定義したデータベース（組み合わせ機能ＤＢ）が格納されている。
【００２６】
例えば、パンチ装置の前段側にインサート装置、折り装置、中綴じ装置、及び平綴じ装置が接続されていると想定した場合における、後処理組み合わせ機能の使用可／使用不可を定義したデータベース（組み合わせ機能ＤＢ）がメモリ１４０に格納される。同様に、インサート装置、折り装置、中綴じ装置、及び平綴じ装置について各々の前段側に他の後処理装置が接続されていると想定した場合における、後処理組み合わせ機能の使用可／使用不可を定義したデータベース（組み合わせ機能ＤＢ）がメモリ１４０に格納される。
【００２７】
なお、後処理装置ごとに付与されるノードＩＤは、少なくとも後処理装置の種類（後処理機能）が識別できるものであればよい。また、メモリ１４０及び各後処理装置のメモリは、例えば不揮発性の半導体メモリを用いることができる。
【００２８】
インサート装置４０は、インサート装置制御部４００、通信部４１０，４２０、用紙搬送部４３０、第１インサート搬送部４４０、第２インサート搬送部４５０、第３インサート搬送部４６０、及びメモリ４７０を有する。
【００２９】
インサート装置制御部４００は、インサート装置４０内の各部を制御する。通信部４１０は、画像形成装置１０とデータの送信及び受信を行い、通信部４２０は、パンチ装置５０とデータの送信及び受信を行う。用紙搬送部４３０は、不図示の搬送ローラを備え、前段装置（画像形成装置１０）又は第１〜第３インサート搬送部４４０，４５０，４６０から用紙を受け、後段装置（パンチ装置５０）へ搬送する。
【００３０】
第１〜第３インサート搬送部４４０，４５０，４６０は、不図示の給紙ローラ及び搬送ローラを備える。第１インサート搬送部４４０は、インサートトレイ４２に収納された用紙を給紙し、用紙搬送部４３０へ用紙を搬送する。第２インサート搬送部４５０は、インサートトレイ４４に収納された用紙を給紙し、用紙搬送部４３０へ用紙を搬送する。第３インサート搬送部４６０は、インサートトレイ４６に収納された用紙を給紙し、用紙搬送部４３０へ用紙を搬送する。メモリ４７０には、インサート装置４０のノードＩＤが記憶されている。
【００３１】
パンチ装置５０は、パンチ装置制御部５００、通信部５１０，５２０、第１用紙搬送部５３０、第２用紙搬送部５４０、メモリ５５０、及びパンチユニット５５を有する。
【００３２】
パンチ装置制御部５００は、パンチ装置５０内の各部を制御する。通信部５１０は、インサート装置４０とデータの送信及び受信を行い、通信部５２０は、折り装置６０とデータの送信及び受信を行う。第１用紙搬送部５３０及び第２用紙搬送部５４０は、不図示の搬送ローラを備える。第１用紙搬送部５３０は、前段装置（インサート装置４０）から用紙を受け、後段装置（折り装置６０）へストレート搬送する。第２用紙搬送部５４０は、前段装置から用紙を受け、パンチユニット５５でパンチが実施された用紙を、後段装置へ搬送する。メモリ５５０には、パンチ装置５０のノードＩＤが記憶されている。
【００３３】
折り装置６０は、折り装置制御部６００、通信部６１０，６２０、第１用紙搬送部６３０、第２用紙搬送部６４０、第３用紙搬送部６５０、インサート搬送部６６０、メモリ６７０、及び折りユニット６５を有する。
【００３４】
折り装置制御部６００は、折り装置６０内の各部を制御する。通信部６１０は、パンチ装置５０とデータの送信及び受信を行い、通信部６２０は、中綴じ装置７０とデータの送信及び受信を行う。第１〜第３用紙搬送部６３０，６４０，６５０は、不図示の搬送ローラを備える。第１用紙搬送部６３０は、前段装置（パンチ装置５０）又はインサート搬送部６６０から用紙を受け、後段装置（中綴じ装置７０）へストレート搬送する。第２用紙搬送部６４０は、第１用紙搬送部６３０から用紙を受け、折り装置サブトレイ６１へ排紙する。第３用紙搬送部６５０は、第１用紙搬送部６３０から用紙を受け、折りユニット６５で折りが実施された用紙を、後段装置へ搬送する。インサート搬送部６６０は、不図示の給紙ローラ及び搬送ローラを備え、折りインサートトレイ６２にセットされた用紙を給紙し、第１用紙搬送部６３０へ用紙を搬送する。メモリ６７０には、折り装置６０のノードＩＤが記憶されている。
【００３５】
中綴じ装置７０は、中綴じ装置制御部７００、通信部７１０，７２０、第１用紙搬送部７３０、第２用紙搬送部７４０、第３用紙搬送部７５０、メモリ７６０、及び中綴じユニット７５を有する。
【００３６】
中綴じ装置制御部７００は、中綴じ装置７０内の各部を制御する。通信部７１０は、折り装置６０とデータの送信及び受信を行い、通信部７２０は、平綴じ装置８０とデータの送信及び受信を行う。第１〜第３用紙搬送部７３０，７４０，７５０は、不図示の搬送ローラを備える。第１用紙搬送部７３０は、前段装置（折り装置６０）から用紙を受け、後段装置（平綴じ装置８０）へストレート搬送する。第２用紙搬送部７４０は、第１用紙搬送部７３０から用紙を受け、中綴じ装置サブトレイ７１へ排紙する。第３用紙搬送部７５０は、第１用紙搬送部７３０から用紙を受け、中綴じユニット７５で中綴じが実施された用紙（冊子）を、中綴じ冊子トレイ７２へ排紙する。メモリ７６０には、中綴じ装置７０のノードＩＤが記憶されている。
【００３７】
平綴じ装置８０は、平綴じ装置制御部８００、通信部８１０，８２０、第１用紙搬送部８３０、第２用紙搬送部８４０、第３用紙搬送部８５０、メモリ８６０、及び平綴じユニット８５を有している。
【００３８】
平綴じ装置制御部８００は、平綴じ装置８０内の各部を制御する。通信部８１０は、平綴じ装置８０とデータの送信及び受信を行い、通信部８２０は、後段装置とデータの送信及び受信を行う。第１〜第３用紙搬送部８３０，８４０，８５０は、不図示の搬送ローラを備える。第１用紙搬送部８３０は、前段装置（中綴じ装置７０）から用紙を受け、平綴じ排紙トレイ８２へストレート排紙する。第２用紙搬送部８４０は、第１用紙搬送部８３０から用紙を受け、平綴じ装置サブトレイ８１へ排紙する。第３用紙搬送部８５０は、第１用紙搬送部８３０から用紙を受け、平綴じユニット８５で平綴じが実施された用紙を、平綴じ排紙トレイ８２へ排紙する。メモリ８６０には、平綴じ装置８０のノードＩＤが記憶されている。
【００３９】
画像形成装置１０及び各後処理装置は、各装置の通信部を介して互いのステータス情報を送受信している。各装置の制御部は、自装置の情報をステータス情報として出力する。ステータス情報には、例えば各後処理装置の異常の有無、異常の内容、給紙トレイ又はインサートトレイの開閉状態等の情報が含まれる。画像形成装置１０は、各後処理装置のステータス情報を随時取得し、各後処理装置の状態を把握している。
【００４０】
［画像形成装置制御部］
次に、画像形成装置１０の画像形成装置制御部１００について説明する。
図３は、画像形成装置制御部１００の機能ブロック図を示す。画像形成装置制御部１００は、接続順序検出部１０１と、機能判断部１０２と、報知部１０３とを備える。
【００４１】
接続順序検出部１０１は、各後処理装置のノードＩＤ（識別情報）と、当該後処理装置の後処理機能を取得する。そして、接続順序検出部１０１は、取得したノードＩＤを元に、画像形成装置１０を基点とする複数の後処理装置の接続順序を検出する。検出された複数の後処理装置の接続順序は、メモリ１４０に記憶される。
【００４２】
機能判断部１０２は、接続順序検出部１０１で検出された複数の後処理装置の後処理機能と接続順序を元に、メモリ１４０の組み合わせ機能ＤＢを参照する。そして、機能判断部１０２は、この複数の後処理装置において使用（実行）できる後処理機能の組み合わせと使用できない後処理機能の組み合わせとを判断し、これらの後処理機能の組み合わせの使用可／使用不可の情報をまとめた後処理機能リストを生成する。また機能判断部１０２は、後処理装置に故障が発生した場合には、後処理装置の故障により使用できない後処理機能を反映した後処理機能リストを生成する。
【００４３】
さらに、機能判断部１０２は、後処理装置に故障が発生した場合に、故障機能（故障した後処理機能を含んだ後処理機能の組み合わせ）を代替することが可能な複数の後処理装置の接続順序を判断する。そして、この代替可能な複数の後処理装置の接続順序を元に、故障発生後の複数の後処理装置における後処理機能リストを生成する。
【００４４】
報知部１０３は、機能判断部１０２の判断結果に基づき、複数の後処理装置の接続順序に応じて、使用できる後処理機能の組み合わせと使用できない後処理機能の組み合わせとが示された後処理機能リストを報知する処理を行う。例えば報知部１０３は、操作パネル２０に対して行われた報知指示の操作に従い、後処理機能リストの画像データを生成し、操作パネル２０等へ表示する。
【００４５】
［操作パネルのレイアウト］
図４は、画像形成装置１０の操作パネル２０のレイアウト例を示す。
画像形成装置１０に設けられた操作パネル２０は、表示操作部２１、テンキー２２、プリントキー２３、ストップキー２４、パネルリセットキー２５を備える。
【００４６】
表示操作部２１は、言語メッセージやビットマップイメージを表示する液晶パネル（ＬＣＤ：Liquid Crystal Display）と、ユーザの操作を受け付けるタッチスクリーンとを重ね合わせて構成されている。ユーザは、ＬＣＤに表示された言語メッセージやビットマップイメージが表示された所望の位置でタッチスクリーンを操作することにより、画面階層を遷移させながら画像形成モードを設定していく。
【００４７】
テンキー２２は、プリント枚数設定や電話番号入力等に使用され、プリントキー２３とストップキー２４は、プリント開始／中断の指示用として使用される。パネルリセットキー２５は、画像形成装置１０に設定された画像形成モードを初期化して画像形成装置１０をデフォルト状態（標準状態）とし、表示操作部２１の画面を電源投入初期の基本画面２１０（後述する図５参照）へと戻すために使用される。
【００４８】
［表示操作部の基本画面］
図５は、画像形成装置１０の表示操作部２１に表示される基本画面例を示す。
図５に示す基本画面２１０の中央には、現在の後処理装置の接続順序を示すシステム構成２１１が表示される。また基本画面２１０の下側には、ジョブ及び用紙トレイの情報が表示されている。
【００４９】
［後処理機能リスト］
図６は、後処理機能リストの画面例を示す図である。
ユーザが基本画面２１０（図５）に表示された「後処理機能リスト」ボタンを選択すると、表示操作部２１の画面が後処理機能リスト画面２２０へ遷移して後処理機能リスト２２１が表示される。本実施形態の後処理機能リスト２２１では、複数の後処理装置の後処理機能を縦軸と横軸に同じ順序で並べ、その交点を後処理組み合わせ機能として使用可（〇）／使用不可（×）を表示している。この後処理機能リスト２２１では、画像形成装置１０に接続された各後処理装置の順番に後処理機能が表示されており、縦軸の後処理機能を基点として横方向に見る。使用可（〇）は、組み合わせて使用することが可能（実行可）な後処理機能の組み合わせであり、使用不可（×）は、組み合わせて使用（実行）することが不可能（実行不可）な後処理機能の組み合わせである。
【００５０】
例えば、中綴じ機能は「中綴じ＋インサート」と「中綴じのみ」（中綴じと中綴じの交点）が使用可である。これは、中綴じ後に用紙のインサートが可能であること、又は中綴じのみが可能であることを表している。一方、「中綴じ＋パンチ」と「中綴じ＋折り」と「中綴じ＋平綴じ」は使用不可である。これは、中綴じ後に、パンチ、折り又は平綴じは実行できないことを表している。
【００５１】
［故障時の後処理機能リスト］
図７は、故障時の後処理機能リストの画面例を示す図である。
例えば、インサート装置４０の第１〜第３インサート搬送部４４０，４５０，４６０の共通の給紙モータ部品が故障した場合、インサート装置４０は給紙モータ部品を交換するまで用紙搬送部４３０によるストレート排紙機能しか使用できない。インサートトレイ４２，４４，４６に収納された用紙（インサート用紙）へのパンチ処理を実施できなくなるため、後処理機能リスト画面２３０の後処理機能リスト２３１における「インサート＋パンチ」は使用不可（×）と表示される。ここで、インサート機能のみについては、折り装置６０の折りインサートトレイ６２が使用できるため、故障発生前と同様に使用可（○）と表示される。
【００５２】
後処理装置に何らかの故障が発生すると、図７の後処理機能リスト画面２３０の下方に「故障機能代替」ボタン２３２が表示される。「故障機能代替」ボタン２３２の位置はこの例に限らず、故障発生時に、例えば基本画面２１０等の上側に配置された「機械状態」ボタン、「後処理機能リスト」ボタン、「コピー」ボタンと並べて表示してもよい。
【００５３】
［故障機能を代替する方法］
図８は、故障機能を代替する後処理機能リストの画面例を示す図である。
【００５４】
故障時に、ユーザが後処理機能リスト画面２３０の「故障機能代替」ボタン２３２を選択すると、故障機能代替画面２４０が表示される。故障機能代替画面２４０には、例えば「表示の後処理装置接続で故障機能を代替できます」というメッセージが表示される。
【００５５】
本実施形態に係る画像形成システム１の場合、パンチ装置５０と折り装置６０の接続順序を入れ替えて、折り装置６０をパンチ装置５０の前段（上流側）に配置することで、折りインサートトレイ６２を使ってインサート用紙へのパンチ処理を実施することができる。そして、故障機能代替画面２４０には、パンチ装置５０と折り装置６０を入れ替えたシステム構成２４１と、その構成に基づく後処理機能リスト２４２が表示される。
【００５６】
画像形成システム１がパンチ処理を実施後に折り処理を実施可能とする仕様である場合、パンチ装置５０と折り装置６０を入れ替えることで、例えば「インサート＋パンチ」は使用可（○）となるが、「折り＋パンチ」が使用不可（×）となる。また、上記入れ替えに伴い、「パンチ＋インサート」は使用可（○）となるが、「パンチ＋折り」は使用不可（×）となる。
【００５７】
このように、本実施形態では、正常な複数の後処理装置を連動させて、故障機能（故障した後処理機能を含む後処理機能の組み合わせ）を代替する。そして、故障機能代替画面２４０に故障機能の代替手段を考慮した後処理機能リスト２４２を表示することにより、ユーザは、多様な後処理機能の組み合わせの可否や、故障機能の代替手段を容易に認知することができる。
【００５８】
なお、本実施形態では、報知手段を操作パネル２０としたが、報知手段はネットワークに接続された管理装置サーバや保守員が携帯するモバイル端末等であってもよい。
【００５９】
［後処理機能の使用可／使用組み合わせの不可報知処理］
図９は、後処理機能の使用可／使用不可組み合わせの報知処理を示すフローチャートである。
【００６０】
まず、画像形成装置１０が備える画像形成装置制御部１００の接続順序検出部１０１は、後処理装置の接続を検知したかどうかを判定する（Ｓ１）。接続順序検出部１０１は、後処理装置の接続を検知した場合には（Ｓ１のＹＥＳ）、ステップＳ２に進み、後処理装置の接続を検知しなかった場合には（Ｓ１のＮＯ）、後処理装置の接続を検知するまで待機する。
【００６１】
ここで、接続順序検出部１０１による後処理装置の接続を検知する方法の一例を説明する。まず接続順序検出部１０１が、インサート装置４０に対しノードＩＤ要求信号を送信し、インサート装置制御部４００は、ノードＩＤ要求信号を受けて、画像形成装置１０にインサート装置４０のノードＩＤと後処理機能情報とを含む応答信号を返信する。これにより、接続順序検出部１０１は、画像形成装置１０の後段（画像形成装置１０から１番目に近い位置）に、インサート装置４０が接続されていることを検出する。
【００６２】
続いて、接続順序検出部１０１は、インサート装置４０に対し、ノードＩＤ要求信号を再度送信する。ここで、インサート装置制御部４００は、一度ノードＩＤを返信しているため、ノードＩＤ要求信号を後段のパンチ装置５０へ転送する。パンチ装置制御部５００は、ノードＩＤ要求信号を受けて、インサート装置４０を介して、画像形成装置１０にパンチ装置５０のノードＩＤと後処理機能情報とを含む応答信号を返信する。これにより、接続順序検出部１０１は、インサート装置４０の後段（画像形成装置１０から２番目に近い位置）にパンチ装置５０が接続されていることを検出する。
【００６３】
接続順序検出部１０１は、該画像形成装置１０に接続されている全ての後処理装置が検知されるまで上記の処理を繰り返し、すべての後処理装置の後処理機能とそれらの接続順序を取得する。なお、この後処理装置の接続を検知する方法は一例であって、この例に限らない。
【００６４】
次に、機能判断部１０２は、後処理装置を検知した場合には（Ｓ１のＹＥＳ）、複数の後処理装置の後処理機能とそれらの接続順序を元に組み合わせ機能ＤＢを参照し、後処理機能の組み合わせの可否を表した後処理機能リストを作成する（Ｓ２）。作成された後処理機能リスト（例えば図６の後処理機能リスト２２１）は、メモリ１４０に保存される。
【００６５】
次に、報知部１０３は、「後処理機能リスト」ボタンが押下されたかどうかを判定する（Ｓ３）。報知部１０３は、ボタンが押下されなかった場合には（Ｓ３のＮＯ）、本フローチャートを終了する。
【００６６】
続いて、報知部１０３は、「後処理機能リスト」ボタンが押下された場合には（Ｓ３のＹＥＳ）、作成された後処理機能リストを、表示操作部２１に表示する（Ｓ４）。報知部１０３は、この処理が終了したら本フローチャートを終了する。
【００６７】
［後処理機能の代替表示処理］
図１０は、後処理機能の代替表示処理を示すフローチャートである。
【００６８】
まず、画像形成装置１０が備える画像形成装置制御部１００の接続順序検出部１０１は、後処理装置の接続を検知したかどうかを判定し（Ｓ１１）、後処理装置の接続を検知した場合には（Ｓ１１のＹＥＳ）、ステップＳ１２に進む。一方、接続順序検出部１０１は、後処理装置の接続を検知しなかった場合には（Ｓ１１のＮＯ）、後処理装置の接続を検知するまで待機する。
【００６９】
次に、機能判断部１０２は、後処理装置を検知した場合には（Ｓ１１のＹＥＳ）、複数の後処理装置の後処理機能とそれらの接続順序を元に組み合わせ機能ＤＢを参照し、後処理機能の組み合わせの可否を表した後処理機能リストを作成する（Ｓ１２）。作成された後処理機能リスト（例えば図６の後処理機能リスト２２１）は、メモリ１４０に保存される。
【００７０】
次に、機能判断部１０２は、各後処理装置から取得したステータス情報を元に、いずれかの後処理装置に異常が発生したかどうかを判定する（Ｓ１３）。
【００７１】
後処理装置に異常が発生した場合には（Ｓ１３のＹＥＳ）、機能判断部１０２は、後処理装置が故障したとして故障機能代替用の後処理装置の接続順序と、その接続順序に応じた後処理機能リストを作成する（Ｓ１４）。作成された故障機能代替用の後処理機能リスト（例えば図８の後処理機能リスト２４２）は、ステップＳ１２で生成された後処理機能リストと別に、メモリ１４０に保存される。
【００７２】
さらに、機能判断部１０２は、後処理装置に故障が発生したことによって使用不可となる後処理機能を、メモリ１４０に保存されている後処理機能リストに反映し、後処理機能リスト（例えば図７の後処理機能リスト２３１）を更新する（Ｓ１２）。そして、機能判断部１０２は、再度、いずれかの後処理装置に異常が発生したかどうかを判定する（Ｓ１３）。
【００７３】
次に、Ｓ１３の判定処理において新たに後処理装置に異常が発生しなかった場合には（Ｓ１３のＹＥＳ）、報知部１０３は、「後処理機能リスト」ボタンが押下されたかどうかを判定する（Ｓ１５）。報知部１０３は、ボタンが押下されなかった場合には（Ｓ１５のＮＯ）、本フローチャートを終了する。
【００７４】
次に、報知部１０３は、「後処理機能リスト」ボタンが押下された場合には（Ｓ１５のＹＥＳ）、故障機能が反映された後処理機能リスト（例えば後処理機能リスト２３１）を、表示操作部２１に表示する（Ｓ１６）。
【００７５】
次に、報知部１０３は、「故障機能代替」ボタン２３２が押下されたかどうかを判定する（Ｓ１７）。「故障機能代替」ボタン２３２が押下された場合には（Ｓ１７のＹＥＳ）、報知部１０３は、故障機能代替用の後処理装置の接続順序（例えば図８のシステム構成２４１）と、その接続順序に応じた後処理機能リスト（例えば後処理機能リスト２４２）をメモリ１４０から読み出し、表示操作部２１に表示する（Ｓ１８）。報知部１０３は、この処理が終了したら本フローチャートを終了する。
【００７６】
以上のように構成された一実施形態によれば、画像形成装置１０に複数の後処理装置が接続された画像形成システム１において、多様な後処理機能の組み合わせに対して使用可及び使用不可を表した後処理機能リストを表示操作部２１に表示する。それゆえ、使用可及び使用不可の後処理機能の組み合わせを、ユーザに容易に認知させることができる。なお、後処理機能の組み合わせの使用可／使用不可を報知する手段は、表示操作部２１に表示する方法に限らず、例えば音声読み上げによる方法でもよい。
【００７７】
また、本実施形態によれば、後処理装置が故障した場合に、故障機能（故障した後処理機能を含む後処理機能の組み合わせ）を反映した後処理機能リストを表示操作部２１に表示する。それゆえ、故障によって使用不可となる後処理機能の組み合わせを、ユーザに容易に認知させることができる。
【００７８】
さらに、本実施形態によれば、後処理装置が故障した場合に、正常な複数の後処理装置を連動させて故障機能を代替する。そして、故障機能の代替手段を表した後処理機能リストを作成し、表示操作部２１に表示する。それゆえ、故障機能を代替する後処理機能の組み合わせを、ユーザに容易に認知させることができる。
【００７９】
＜２．変形例＞
上述した実施形態では、接続順序検出部１０１が、各後処理装置からノードＩＤと後処理機能情報を取得する例を説明したが、この例に限らない。例えば、予めノードＩＤと後処理機能情報を関連付けたデータベースがメモリ１４０に格納されており、接続順序検出部１０１は、後処理装置から取得したノードＩＤを元にメモリ１４０のデータベースを参照し、当該後処理装置の後処理機能を取得する構成としてもよい。あるいは、ノードＩＤに対応する後処理機能を、外部通信部１３０を介して、ネットワークに接続された外部装置から取得してもよい。
【００８０】
また、上述した実施形態では、図８の後処理機能リスト２４２における後処理機能の配列を、故障発生前の複数の後処理装置の接続順序（システム構成２１１）と対応させているが、この例に限らない。例えば故障機能代替用の接続順序（システム構成２４１）と対応させた配列としてもよい。このようにした場合には、故障機能代替用の接続順序と後処理機能リスト２４２の後処理機能の配列とが一致し、接続順序と後処理機能との関係がよりわかりやすい。
【００８１】
また、図８において、故障機能代替画面２４０に、故障機能代替用のシステム構成２４１と後処理機能リスト２４２を表示したが、システム構成２４１のみを表示するようにしてもよい。また、後処理機能リストボタンが押下されたときに、システム構成２４１の下方に後処理機能リスト２４２を表示するようにしてもよい。
【００８２】
さらに、本発明は上述した各実施形態例に限られるものではなく、特許請求の範囲に記載した本発明の要旨を逸脱しない限りにおいて、その他種々の応用例、変形例を取り得ることは勿論である。
【００８３】
また、例えば、上述した実施形態例は本発明を分かりやすく説明するために装置及びシステムの構成を詳細且つ具体的に説明したものであり、必ずしも説明した全ての構成を備えるものに限定されるものではない。また、ある実施形態例の構成の一部を他の実施形態例の構成に置き換えることは可能である。また、ある実施形態例の構成に他の実施形態例の構成を加えることも可能である。また、各実施形態例の構成の一部について、他の構成の追加、削除、置換をすることも可能である。
【００８４】
また、上記の各構成、機能、処理部、処理手段等は、それらの一部又は全部を、例えば集積回路で設計する等によりハードウェアで実現してもよい。また、上記の各構成、機能等は、画像形成装置１０又は各後処理装置のプロセッサ（例えばＣＰＵ）がそれぞれの機能を実現するプログラムを解釈し、実行することによりソフトウェアで実現してもよい。各機能を実現するプログラム、テーブル、ファイル等の情報は、メモリやハードディスク、ＳＳＤ（Solid State Drive）等の記録装置、又はＩＣカード、ＳＤカード、ＤＶＤ等の記録媒体に置くことができる。
【００８５】
また、制御線や情報線は説明上必要と考えられるものを示しており、製品上必ずしも全ての制御線や情報線を示しているとは限らない。実際には殆ど全ての構成が相互に接続されていると考えてもよい。
【００８６】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【符号の説明】
【００８７】
１…画像形成システム、  ２…後処理装置、  １０…画像形成装置、  ２０…操作パネル、  ２１…表示操作部、  ４０…インサート装置、  ５０…パンチ装置、  ６０…折り装置、  ７０…中綴じ装置、  ８０…平綴じ装置、  １００…画像形成装置、  １０１…接続順序検出部、  １０２…機能判断部、  １０３…報知部、  １４０…メモリ（組み合わせ機能ＤＢ）、  ２１０…基本画面、  ２１１…システム構成、  ２２０…後処理機能リスト画面、  ２２１…後処理機能リスト、  ２３０…後処理機能リスト画面、  ２３１…後処理機能リスト、  ２３２…故障機能代替ボタン、  ２４０…故障機能代替画面、  ２４１…システム構成、  ２４２…後処理機能リスト
【図１】
2017071169.tif 000003
【図２】
2017071169.tif 000004
【図３】
2017071169.tif 000005
【図４】
2017071169.tif 000006
【図５】
2017071169.tif 000007
【図６】
2017071169.tif 000008
【図７】
2017071169.tif 000009
【図８】
2017071169.tif 000010
【図９】
2017071169.tif 000011
【図１０】
2017071169.tif 000012